(57)【特許請求の範囲】
【請求項１】
上面を手による押し下げ面としたヘッド本体(2)の側面に、横外方に延出するノズル筒(3)を設けたノズルヘッドであって、
前記ノズル筒(3)内の、少なくとも先端開口部であるノズル口(5)近傍に組付けた未使用識別体(12)を、内容液の吐出を妨げることなく抜け出し不能に挿入組付ける装着部(19)と、前記ノズル口(5)に組付かない小さな外径を有して前記ノズル口(5)の外側から覆って塞ぐ識別部(13)と、該識別部(13)を装着部(19)に引き千切りが容易に結合する連結片(17)とを有して構成すると共に、該連結片(17)を前記ノズル口(5)が閉塞されたノズル筒(3)内に配置したことを特徴とするポンプのノズルヘッド。
【請求項２】
識別部(13)を、ノズル口(5)に組付き固着することなく該ノズル口(5)を外側から覆って塞ぐ口蓋片(14)と、該口蓋片(14)に撓み部(16)を介して連設された摘み片(15)とで構成した請求項１に記載のポンプのノズルヘッド。
【請求項３】
摘み片(15)に、該摘み片(15)をノズル筒(3)に沿わせて保持する把持片(18)を設けた請求項２に記載のポンプのノズルヘッド。
【請求項４】
装着部(19)を、ノズル筒(3)内にノズル口(5)から挿入組付けられる本体片(20)と、該本体片(20)に突出状に設けられ、突出端を前記ノズル筒(3)内周面に回動不能に接触して前記本体片(20)の姿勢を一定に保持する支持片(21)と、該本体片(20)の挿入端に設けられて、ヘッド本体(2)内のノズル通路(4)開口縁を係止する係止片(22)とから構成した請求項１乃至３のいずれか一項に記載のポンプのノズルヘッド。
【請求項５】
本体片(20)を細長軸状に形成し、支持片(22)を前記本体片(20)を軸としてその上下に一定の振幅を有して波打つ細長波板状に構成した請求項１乃至４のいずれか一項に記載のポンプのノズルヘッド。
【請求項６】
支持片(21)を、本体片(20)の一部を拡幅した板片状に構成した請求項４又は５に記載のポンプのノズルヘッド。
【請求項７】
係止片(22)近傍の本体片(20)部分に、ノズル筒(3)内周面に回動不能に接触して係止片(22)を変位不能に保持する規制片(23)を突設した請求項４乃至６のいずれか一項に記載のポンプのノズルヘッド。
【請求項８】
ヘッド本体(2)の下降変位を不能とする不正使用防止用のロック片(24)をヘッド本体(2)に組付けた請求項１乃至７のいずれか一項に記載のポンプのノズルヘッド。
【発明の詳細な説明】
【技術分野】
【０００１】
本発明は、内容液を収容した容器本体の上端の口筒部に組付けられ、押し下げ操作により内容液を吐出するポンプのノズルヘッドに関するもので、さらに詳言すれば、バージン機能を発揮するポンプのノズルヘッドに関するものである。
【背景技術】
【０００２】
シャンプー、リンス、ボディソープ、ハンドソープ、さらには化粧液等の内容液を収容した容器に組付けられ、ノズルヘッドを押し下げることにより内容液を吐出するポンプは、そのノズルヘッドの構造を、ノズル筒を比較的大きく横外方に延出させたものとし、これにより吐出された内容液が、直接手のひらに吐出されるようにしている。
【０００３】
この上記したポンプのノズルヘッドの一般的な構造（以下、図１参照）は、上面を手による押し上げ面としたヘッド本体２の側面に、わずかに湾曲下降しながら横外方に延出するノズル筒３を設け、ヘッド本体２に、上端部にノズル筒３のノズル通路４を開放させたヘッド首筒６を垂下設して構成されている。
【０００４】
このノズルヘッド１は、ポンプの主体部分の一部である、ボール弁９を内装したステム８の上端部に、そのヘッド首筒６で密に外嵌組付きし、ノズルヘッド１の押し下げに伴うステム８の下降変位により、ボール弁９を開放して内容液を吸い上げ、この吸い上げた内容液を、ノズル筒３を通して、目的とする箇所に吐出するものとなっている。
【０００５】
なお、ノズルヘッド１に設けられたガイド筒７とポンプの主体部分側に設けられた支持筒１０との組合せ物は、ノズルヘッド１の昇降変位姿勢を、妄りに傾くことなく、安定して一定に保持するためのものである。
【０００６】
このノズルヘッド１を組付けたポンプ付き容器の商品としての品質保証を確保する手段として、特許文献１に示された従来技術、すなわちノズルヘッドの押し下げを不能としてバージン機能を発揮させるロック片を、支持筒に外嵌組付けする技術が知られている。
【０００７】
この従来技術は、ロック片によりノズルヘッドの下降動作を不能として、不正稼動を不可として高いバージン機能を発揮し、使用時には、ロック片の一部を破断して取り外し、この状態でノズルヘッドを押し下げて内容液の吐出を行うのである。
【先行技術文献】
【特許文献】
【０００８】
【特許文献１】実開平０６−０８１６５３号公報
【発明の概要】
【発明が解決しようとする課題】
【０００９】
上記した従来技術は、確かに高いバージン機能を発揮するのであるが、一部を破断して取り外されたロック片を、再装着すると、一見しただけでは、その再装着を看破でき難い場合があると云う不満があり、内容液を一度でも吐出したこの種の容器は、簡単に識別することができるもの、およびより高いバージン機能を発揮するものとしてほしい、と云う要望が寄せられている。
【００１０】
そこで本発明は、上記した従来技術における要望を満たすべく創案されたもので、この種の容器で最も目立つノズル口にバージン機能を付与することを技術的課題とし、もってその容器の内容液が一度も吐出されたことがないのか、既に吐出されたことがあるのかを、簡単に識別できるようにすることを目的とする。
【課題を解決するための手段】
【００１１】
上記技術的課題を解決する手段の内、本発明の主たる構成は、
面を手による押し下げ面としたヘッド本体の側面に、横外方に延出するノズル筒(3)を設けたノズルヘッドであること、
ノズル筒内の、少なくとも先端開口部であるノズル口近傍に組付けた未使用識別体を、内容液の吐出を妨げることなく抜け出し不能に挿入組付ける装着部と、ノズル口に組付かない小さな外径を有してノズル口の外側から覆って塞ぐ識別部と、この識別部を装着部に引き千切りが容易に結合する連結片とを有して構成すると共に、この連結片をノズル口が閉塞されたノズル筒内に配置したこと、
にある。
【００１２】
識別部は、ノズル口を外側から覆って塞いでいるので、この識別部をノズル口から取り除かない限り内容液の吐出は不可能であり、それゆえ内容液の吐出に際しては、連結片を強引に破断して装着部から分離させて、ノズル口から取り外すことになる。
【００１３】
識別部は、ノズル口を外側から覆って塞いでいるだけであるので、連結片が破断された状態では、ノズル口に組付くことが難しく、このため一度連結片を破断して装着部から分離された識別部のノズル口への再装着は殆ど不可能となり、それゆえ識別部の有無、若しくは識別部に軽く触れて、ノズル口への装着状態を確認するだけで、容器の使用、未使用を簡単にかつ正確に識別することができる。
【００１４】
本発明の別の構成は、上記した主たる構成に加えて、識別部を、ノズル口に組付き固着することなく、ノズル口を外側から覆って塞ぐ口蓋片と、この口蓋片に撓み部を介して連設された摘み片とで構成した、ものである。
【００１５】
識別部を、口蓋片と摘み片とで構成したものにあっては、口蓋片がノズル口に組付き固着するものではないので、連結片を破断して装着部から分離させた識別部を、そのままでノズル口に再装着することは殆ど不可能であり、また摘み片を指先で摘んで引っ張ることにより、識別部に強い外力を作用させることが容易となり、これにより連結片の破断を無理なく実施することができ、さらに口蓋片に摘み片が一体設されていることにより、外観上識別部を認識し易い状態となり、これにより識別部による識別判断を、ごく自然に行わせることになる。
【００１６】
また、本発明の別の構成は、上記した識別部の構成に加えて、摘み片に、この摘み片をノズル筒に沿わせて保持する把持片を設けた、ものである。
【００１７】
識別部の摘み片に、この摘み片をノズル筒に沿わせて保持する把持片を設けたものにあっては、連結片を破断する前の摘み片を、ノズル筒に沿って一定した姿勢に保持することができるので、連結片を破断する前の容器の取り扱い時に、撓み部を介して変位が容易であるように設けられた摘み片が邪魔となることがない。
【００１８】
また、本発明の別の構成は、上記した主たる構成に加えて、装着部を、ノズル筒内にノズル口から挿入組付けされる本体片と、この本体片に突出状に設けられ、突出端をノズル筒内周面に回動不能に接触させて本体片の姿勢を一定に保持する支持片と、本体片の挿入端に設けられて、ヘッド本体内のノズル通路開口縁に係止する係止片とから構成した、ものである。
【００１９】
装着部を、本体片と支持片と係止片とから構成したものにあっては、本体片の挿入端、すなわち識別部が連結片を介して連結された先端とは反対の基端に係止片が設けられているので、装着部をノズル筒内殻ノズル口側に抜く出すことはできず、このため連結片を破断しない限り、識別部をノズル口から離脱させることはできない。また、ノズル筒３内における本体片の挿入組付き姿勢を支持片が変位不能に一定に保持するので、ノズル筒内を通過する内容液に対する装着部の影響を一定したものとすると共に、不要な変位により連結片を破断する不都合の発生を防止することができる。
【００２０】
また、本発明の別の構成は、上記した装着部の構成に加えて、本体片を細長軸状に形成し、支持片を本体片を軸としてその上下に一定の振幅を有して波打つ細長波板状に構成したものである。
【００２１】
支持片を細長波板状に構成したものにあっては、ノズル通路を通過する内容液に対して支持片が適当な流動抵抗を付与することになる。
【００２２】
また、本発明の別の構成は、上記した装着部の構成に加えて、支持片を、本体片の一部を拡幅した板片状に構成した、ものである。
【００２３】
支持片を、本体片の一部を拡幅した板片状に構成したものにあっては、本体片および支持片を、ノズル通路を通過する内容液に対して、「整流板」として機能させることができる。
【００２４】
また、本発明の別の構成は、上記した装着部の構成に加えて、係止片近傍の本体片部分に、ノズル筒内周面に回動不能に接触して係止片を変位不能に保持する規制片を突設して構成した、ものである。
【００２５】
係止片近傍の本体片部分に規制片を突設したものにあっては、ヘッド本体内のノズル通路開口縁に対する係止片の係止組付きを、安定して確保することができる。
【００２６】
また、本発明の別の構成は、上記した主たる構成に加えて、ヘッド本体の下降変位を不能とする不正使用防止用のロック片をヘッド本体に組付けた、ものである。
【００２７】
不正使用防止用のロック片をヘッド本体に組付けたものにあっては、未使用識別体による未使用識別作用と、ロック片による不正使用防止作用とにより、充分に高いバージン機能を得ることが可能となる。
【発明の効果】
【００２８】
本発明は、上記した構成となっているので、以下に示す効果を奏する。
本発明の主たる構成にあっては、識別部の有無、若しくは識別部に軽く触れて、ノズル口への装着状態を確認するだけで、容器の使用、未使用を簡単にかつ正確に識別することができるので、高いバージン離機能を得ることができ、これにより商品としてのポンプ付き容器を安心して購入させることができる。
【００２９】
識別部を、口蓋片と摘み片とで構成したものにあっては、識別部のノズル口への再装着が殆ど不可能であり、また連結片の破断を無理なく実施することができ、さらに識別部による識別判断を、ごく自然に行なうことができ、これにより識別部の取り扱いが行い易くなると共に、識別部による未使用の識別が行い易くなる。
【００３０】
識別部の摘み片に、この摘み片をノズル筒に沿わせて保持する把持片を設けたものにあっては、連結片を破断する前の容器の取り扱い時に摘み片が邪魔となることがないので、未使用識別体を組付けたポンプ付き容器を、安全に取り扱うことができる。
【００３１】
装着部を、本体片と支持片と係止片とから構成したものにあっては、連結片を破断しなければ識別部をノズル口から離脱させることができないので、識別部による未使用か否かの識別作用を確実に得ることができ、またノズル筒内を通過する内容液に対する装着部の影響を一定したものとすることができるので、内容液に対するノズル筒の作用状態を、都合よく設定することが可能となり、連結片の不要な破断を防止して安全な取り扱いを得ることができる。
【００３２】
支持片を細長波板状に構成したものにあっては、ノズル通路を通過する内容液に対して支持片が適当な流動抵抗を付与することになり、これにより内容液の吐出状態を所望するものとするのが容易となる。
【００３３】
支持片を、本体片の一部を拡幅した板片状に構成したものにあっては、本体片および支持片を、ノズル通路を通過する内容液に対して、「整流板」として機能させることができるので、内容液の吐出状態を、安全で好ましいものとすることができる。
【００３４】
係止片近傍の本体片部分に規制片を突設したものにあっては、ヘッド本体内のノズル通路開口縁に対する係止片の係止組付きを、安定して確保することができるので、未使用識別体による確実で安定した識別作用を得ることができる。
【００３５】
不正使用防止用のロック片をヘッド本体に組付けたものにあっては、未使用識別体による未使用識別作用と、ロック片による不正使用防止作用とにより、充分に高いバージン機能を得ることが可能となるので、ポンプ付き容器の商品としての充分な品質保証を確保することができる。
【図面の簡単な説明】
【００３６】
【図１】は本発明の一実施形態例を示す、要部縦断側面図である。
【図２】は、図１に示された未使用識別体の全体斜視図である。
【図３】は、図１に示した実施形態例におけるノズル口付近の部分拡大図である。
【図４】は図１の実施形態例の、識別部を分離させた状態を示す縦断側面図である。
【図５】は本発明の他の実施形態例を示す、要部縦断側面図である。
【図６】は、図５に示された未使用識別体の要部斜視図である。
【図７】（ａ）は本発明の他の実施形態例を示す、要部縦断側面図で、（ｂ）はＡ−Ａ線に沿って切断矢視した部分断面図である。
【図８】は、図７に示された未使用識別体の全体斜視図である。
【図９】は本発明の他の実施形態例を示す、要部縦断側面図である。
【図１０】は、図９に示された未使用識別体の全体斜視図である。
【発明を実施するための形態】
【００３７】
以下、本発明の実施形態例を、図１〜図１０を参照しながら説明する。
本発明によるノズルヘッド１（図１参照）は、ヘッド本体２と未使用識別体１２とから構成されており、上面を手による押し下げ面としたヘッド本体２の側面に、わずかに湾曲下降しながら横外方に延出するノズル筒３を一体設し、ヘッド本体２に、上端部にノズル筒３のノズル通路４を開放させたヘッド首筒６を垂下設して構成されている。
【００３８】
このノズルヘッド１は、ポンプの主体部分の一部である、ボール弁９を内装したステム８の上端部に、そのヘッド首筒６で密にかつ不動に外嵌組付きし、ノズルヘッド１の押し下げに伴うステム８の下降変位により、ボール弁９を開放して内容液を吸い上げ、この吸い上げた内容液を、ノズル筒３を通して、目的とする箇所に吐出するものとなっている。
【００３９】
円筒形状をしたステム８は、ヘッド首筒６に密嵌入する上端部の外周面に、嵌入組付き限位置を設定する段部を形成し、この上端部内周面に、下方に傾斜して縮径した内鍔片を周設することにより弁座面を形成してボール弁９を組付け、この弁座面を形成する内鍔片の上側の内周面に、複数の縦条を設けることにより、ボール弁９に閉鎖されない通路を確保し、各縦条の上端部には、ボール弁９のステム８内からの抜け出しを防止する突片が付形されている。
【００４０】
なお、ヘッド首筒６を囲む形態でヘッド本体２に垂下設されたガイド筒７と、ポンプの主体部分側の組付き筒１１から起立設された支持筒１０との組合せ物は、相互に上下方向に摺動自在に嵌合することにより、ノズルヘッド１の昇降変位姿勢を、妄りに傾くことなく、安定して保持するためのものである。
【００４１】
また、このガイド筒７と支持筒１０の組合せ物には、キー構造を利用した回り止め機能部分を設ける場合があるが、これは必要に応じて設ければよいものである。
【００４２】
図１〜図４には、ノズル筒３に、内容液の吐出を妨げることなく、抜け出し不能に挿入組付けされる装着部１９と、ノズル口５を外側から覆って塞ぐ識別部１３と、この識別部１３を装着部１９に引き千切りが容易に結合する連結片１７とから構成される未使用識別体１２の第一の構成例が示されている。
【００４３】
この未使用識別体１２の第一の構成例において、識別部１３は、ノズル口５に組付き固着することなく、このノズル口５を外側から覆って塞ぐ口蓋片１４と、この口蓋片１４に撓み変形が容易な撓み部１６を介して連設された、指先で摘み易い摘み片１５とから構成されている。
【００４４】
口蓋片１４は、ノズル口５に侵入する連結片１７との連結部分を有しているが、このノズル口５に侵入する部分は、ノズル口５の口径に比べて充分に小さい外径となるように構成されている（図３参照）ので、識別部１３単独でノズル口５に組付くことは不可能となっている。
【００４５】
また、この口蓋片１４に、横溝状の撓み部１６を介して垂下状に連設された板片状の摘み片１５の表面には、滑り止め用の複数の横突条が設けられており、この摘み片１５を指先で摘んで、図１に矢印で示す方向に、やや引上げ状に引っ張ることにより、連結片１７を破断して識別部１３のノズル口５からの取り外しを達成することができる。
【００４６】
装着部１９は、細長軸状の本体片２０に、この本体片２０の略全長に亘って細長波板状の支持片２１を一体設し、本体片２０の挿入端である基端に係止片２２を設けて構成されており、支持片２１は、その各波頭部の端縁をノズル筒３の内周面、すなわちノズル通路４の通路面に回動不能に接触させることにより、ノズル筒３内における本体片２０の組付き位置を一定に保持し、係止片２２は、ヘッド本体２内のノズル通路４の開口縁に係止して、装着部１９のノズル口５からの抜け出しを阻止するもので、図２の示した未使用識別体１２の全体斜視図から明らかなように、弾性変形を利用して、ノズル口５側からの挿入が可能であるように、矢印状に傾斜した一対の突片で構成されている。
【００４７】
この係止片２２の近傍の本体片２０部分には、突出端をノズル筒３内周面に回動不能に接触させた一対の規制片２３が付形されており、この規制片２３のノズル筒３内周面への接触により、係止片２２のノズル通路４の開口縁に対する抜け出し不能な係止が確保されることになる。
【００４８】
内容液を吐出使用する際には、図１に示すように、摘み片１５を引っ張って識別部１３を分離除去してノズル口５を開放した状態（図４参照）とすることになるが、この状態において、ノズル筒３内には未使用識別体１２の装着部１９が組付いたままで残存するが、この残存した装着部１９は、ノズル通路４を通過して吐出される内容液に対して適当な吐出流動抵抗を与えて、内容液の吐出動作を安全なものとし、またノズル筒３内に残留した内容液に対して適当な付着力を発揮し、これによりノズル筒３内の残留内容液が、ノズル口５から不要に垂れ落ちて汚れとなるのを防止する。
【００４９】
図５と図６には、未使用識別体１２の第二の構成例が示されており、この未使用識別体１２の第二の構成例は、識別部１３の撓み部１６を、細長板片を波状に曲げて構成、また装着部１９の支持片２１を、ノズル口５の近傍に位置する短い波板片で構成したもので、支持片２１を、第一の構成例に比べて短くすることにより、内容液に対する吐出流動抵抗が小さくなるので、比較的粘度の高い内容液に適用するのが良い。
【００５０】
図７と図８には、未使用識別体１２の第三の構成例が示されており、この未使用識別体１２の第三の構成例は、装着部１９の支持片２１を、ノズル口５の近傍の本体片２０部分の幅を拡幅して構成されており、この支持片２１は、図７（ｂ）の部分断面図に示すように、側端縁をノズル筒３の内周面に嵌着する等して固定し、これにより内容液を整流した状態で吐出し、吐出内容液の不良飛散の発生を防止するようにしている。
【００５１】
図９と図１０には、未使用識別体１２の第四の構成例が示されており、この未使用識別体１２の第四の構成例は、識別部１３の摘み片１５を、未使用識別体１２の第一の構成例の摘み片１５よりも長板状に構成し、この摘み片１５の一方側面に把持片１８を一体設している。この把持片１８は、摘み片１５をノズル筒３側に折り曲げた状態で、ノズル筒３に対して着脱自在に組付き、これにより未使用状態時における容器の取り扱いに、摘み部１６が邪魔とならないようにしている。
【００５２】
この図９に示した実施形態例において、ヘッド本体２のガイド筒７とポンプ本体側の組付き筒１１との間に、支持筒１０に着脱可能に外嵌組付けされたロック片２４は、ポンプ付き容器の不正使用を防止するためのもので、ガイド筒７の下端への接触によりノズルヘッド１の不要な下降動作を阻止し、これによりポンプ付き容器の不正使用を防止するのであるが、このロック片２４が装着されていることにより、そのポンプ付き容器が未使用のものであると判断することもでき、未使用識別体１２との組合せにより、充分に高いバージン機能を発揮することになる。
【００５３】
なお、未使用識別体１２の構成例として第一〜第四の例を示したが、未使用識別体１２の構造はこれに限定されることはなく、例えば、例示した各構成例における識別部１３と装着部１９の組合せを組み替えてもよい。
【産業上の利用可能性】
【００５４】
以上説明したように、本発明におけるポンプのノズルヘッドは、ノズル口を直接塞いで充分に目立つ状態となっている識別部の有無により、ポンプ付き容器の使用、未使用を識別するものであるので、ポンプ付き容器のバージン機能を高める簡単の手段として幅広い利用展開が期待できる。
【符号の説明】
【００５５】
１  ；ノズルヘッド
２  ；ヘッド本体
３  ；ノズル筒
４  ；ノズル通路
５  ；ノズル口
６  ；ヘッド首筒
７  ；ガイド筒
８  ；ステム
９  ；ボール弁
１０；支持筒
１１；組付き筒
１２；未使用識別体
１３；識別部
１４；口蓋片
１５；摘み片
１６；撓み部
１７；連結片
１８；把持片
１９；装着部
２０；本体片
２１；支持片
２２；係止片
２３；規制片
２４；ロック片
【図１】
0005424150.tif 000002
【図２】
0005424150.tif 000003
【図３】
0005424150.tif 000004
【図４】
0005424150.tif 000005
【図５】
0005424150.tif 000006
【図６】
0005424150.tif 000007
【図７】
0005424150.tif 000008
【図８】
0005424150.tif 000009
【図９】
0005424150.tif 000010
【図１０】
0005424150.tif 000011